(57)【要約】      （修正有）【課題】水分子の酸素含有量、溶解度、および浸透力が上がり、人体に吸収しやすくなる磁気水処理多機能容器装置を提供する。【解決手段】基台１の内部にインナーボトル２００が取り外せるように連結固定設置する連結溝１１を形成され、インナーボトル２００が連結ボトル２を貫通してサブボトル３の中に位置することが出来る。連結溝１１は階層構造であり、少なくても第一階層溝部１１１と第二階層溝部１１２が設けられており、また、第一階層溝部１１１の半径が第二階層溝部１１２の半径より大きく、且つ第一階層溝部１１１が第二階層溝部１１２の上方に位置し、第一階層溝部１１１と第二階層溝部１１２には異なるサイズのインナーボトル２００と入れ込み固定でき、より小さいサイズのインナーボトル２００がより小さい半径の第二階層溝部１１２に入れ込み固定する。【選択図】図４
0003201859.tif 000002
【実用新案登録請求の範囲】
【請求項１】
本考案の磁気水処理多機能容器装置にはインナーボトルに取り外せる嵌めこみ設置を提供するため、内部に連結溝を形成される基台が設けられており、基台の上に基台とねじ込み外せる内部にインナーリムを形成される連結ボトルが設けられており、底部に凸型リングを形成されるサブボトルが設けられ、凸型リングの底部が連結ボトルの内側にあるインナーリムと接触し、そして、凸型リングの上に止めリングが設けられ、また、サブボトルの一部が連結ボトルの上にはみ出し、表面の上向きに凸肩部が形成され、凸肩部の内向きに頂部当接リングが形成されており、サブボトルの中で凸肩部の頂部当接リングに近隣し、そして下方に第一磁気ユニットが設けられており、サブボトルの凸肩部に設置し、そして頂部当接リングの上方にある第二磁気ユニットが設けられており、第二磁気ユニット、頂部当接リング及び第一磁気ユニットは固定ユニットによって貫通し固定させており、第二磁気ユニットの上方に位置し、サブボトルの凸肩部に設置するキャップスが設けられ、且つキャップスの下縁にキャップスの底面とサブボトルの凸肩部に近隣する外周表面の間にＯリングが設けられており、連結ボトルの上に連結ボトルとねじ込み外せるメインボトルが設けられ、且つメインボトルの底円部が止めリングの上方と接触し、メインボトルがサブボトル、第一磁気ユニット及び第二磁気ユニットをカバーすることができ、その中、インナーボトルが連結ボトルを貫通し、サブボトルの中に位置することができることを特徴とする磁気水処理多機能容器装置。
【請求項２】
前記磁気水処理多機能容器装置には更に座部蓋と表示リングが含まれ、座部蓋が基台の底部に被り、表示リングが回転できる状態で基台に設置し、そして、連結ボトルと座部蓋の間に位置し、その中、連結ボトルの表面で表示リングと近隣するところに日付目盛りが形成され、また、表示リングの表面に曜日目盛りが形成されることを特徴とする請求項１に記載の磁気水処理多機能容器装置。
【請求項３】
前記磁気水処理多機能容器装置にはメインボトルの頂部にねじ込み外せるキャップが含まれることを特徴とする請求項１に記載の磁気水処理多機能容器装置。
【請求項４】
前記連結溝は階層構造であり、少なくても第一階層溝部と第二階層溝部が設けられており、また、第一階層溝部の半径が第二階層溝部の半径より大きく、且つ第一階層溝部が第二階層溝部の上方に位置し、そして、第一階層溝部と第二階層溝部には異なるサイズのインナーボトルと入れ込み固定できることを特徴とする請求項１に記載の磁気水処理多機能容器装置。
【請求項５】
前記サブボトルはステンレス、食品用プラスチック、耐熱割れ防止ガラス或いはナノ精密陶磁で作られることを特徴とする請求項１に記載の磁気水処理多機能容器装置。
【請求項６】
前記キャップスは食品用プラスチック、ステンレス或いはナノ精密陶磁で作られることを特徴とする請求項１に記載の磁気水処理多機能容器装置。
【請求項７】
前記キャップスの外周縁での角度の間隔が複数の軸方向溝を形成され、且つ近隣する二つの軸方向溝の間に突出部が形成されることを特徴とする請求項１に記載の磁気水処理多機能容器装置。
【請求項８】
前記各突出部にそれぞれ二つの第三磁気ユニットが設置されることを特徴とする請求項７に記載の磁気水処理多機能容器装置。
【請求項９】
前記固定ユニットにはボルト、ガスケット、ナットを含まれ、ボルトが凸肩部の中にある第二磁気ユニットの上から下に第二磁気ユニットを貫通し、そして、頂部当接リング及び第一磁気ユニットとガスケットが第一磁気ユニットの下からボルトに被り、また、第二磁気ユニット、頂部当接リング、第一磁気ユニット及びガスケットを固定するため、ナットがガスケットの下に位置し、ボルトときつく引き締めることを特徴とする請求項１に記載の磁気水処理多機能容器装置。
【請求項１０】
前記キャップスは食品用プラスチック、ステンレス或いはナノ精密陶磁で作られることを特徴とする請求項７に記載の磁気水処理多機能容器装置。
【考案の詳細な説明】
【技術分野】
【０００１】
この考案は水処理装置の応用領域に係り、特に磁気水処理多機能容器装置に関する。
【背景技術】
【０００２】
周知活性水処理装置は大中型の水処理マシンであり、体積が莫大なほか、手持ちすることが出来ず、また、薬を持ち出す時に水を持ち出すことを忘れ、或いは水を持ち出す時に薬を忘れることをよく見られ、保健生活上の困惑になっていた。
【０００３】
また、あるグループが味のない清水を飲むことが好まないため、別に酵素、ハチミツ、インスタントコーヒー、お茶パックなどを持ち出す必要があるが、時々忘れることもあり、しかも持ち出してもカバンなどのスペースをとるため不便に感じるのである。
【０００４】
そのため、考案者が多年水処理機器での実務経験で、上述した目標に対し、周知技術の欠点を改良した後、本考案を提出するのである。
【考案の概要】
【考案が解決しようとする課題】
【０００５】
この考案の目的は上記問題を解決するため、磁気水処理多機能容器装置を提供し、第一磁気ユニットのＮ、Ｓ極および第二磁気ユニットのＮ、Ｓ極の同極で互い対応することによって、斥力磁気を形成させ、本考案の磁気水処理多機能容器装置を揺れる或いは振動する時に液体（水など）内の水分子が低頻度の磁気感応を獲得されることによって、磁気共振水を生じさせ、更に水分子団を小さくし、安全圧力磁気の切り分け及び頻度震度の後、水の活性化も強くなり、分子の配列が順序よくなり、水分子の酸素含有量、溶解度および浸透力が大幅に上げ、更に人体より吸収しやすくなる。言い換えれば、磁気共振水は生物の体内で素早く各生理作用を行うことができることを要旨としている。
【０００６】
また、サブボトルが利用する材質はステンレス、食品用プラスチック、耐熱割れ防止ガラス或いはナノ精密陶磁で作られ、高品質の耐熱割れ防止ガラスを例として、洗いやすく、且つ内容物をはっきりと透視でき、ユーザーの利便性を増やしていくのである。
【０００７】
なお、くすりビンのインナーボトルなどがサブボトルの中に置くことができ、本考案の磁気水処理多機能容器装置と一緒に持ち出せ、ユーザーがくすりを飲み忘れる問題を避けることが出来るのである。
【０００８】
また、本考案の磁気水処理多機能容器装置が水の品質を有効的に上げるほか、くすり（ビタミン、薬剤、酵素あるいはその他健康食品など）や水を飲む時の養生効果も上げることができ、そして、お茶パック、ハチミツ或いは濃縮ジュースなどを調和することによって、茶飲料を飲む時の楽しみ及び味も増加していくのである。
【課題を解決するための手段】
【０００９】
上記目的を達成するためになされた磁気水処理多機能容器装置にはインナーボトルに取り外せる嵌めこみ設置を提供するため、内部に連結溝を形成される基台が設けられており、基台の上に基台とねじ込み外せる内部にインナーリムを形成される連結ボトルが設けられており、底部に凸型リングを形成されるサブボトルが設けられ、凸型リングの底部が連結ボトルの内側にあるインナーリムと接触し、そして、凸型リングの上に止めリングが設けられ、また、サブボトルの一部が連結ボトルの上にはみ出し、表面の上向きに凸肩部が形成され、凸肩部の内向きに頂部当接リングが形成されており、サブボトルの中で凸肩部の頂部当接リングに近隣し、そして下方に第一磁気ユニットが設けられており、サブボトルの凸肩部に設置し、そして頂部当接リングの上方にある第二磁気ユニットが設けられており、第二磁気ユニット、頂部当接リング及び第一磁気ユニットは固定ユニットによって貫通し固定させており、第二磁気ユニットの上方に位置し、サブボトルの凸肩部に設置するキャップスが設けられ、且つキャップスの下縁にキャップスの底面とサブボトルの凸肩部に近隣する外周表面の間にＯリングが設けられており、連結ボトルの上に連結ボトルとねじ込み外せるメインボトルが設けられ、且つメインボトルの底円部が止めリングの上方と接触し、メインボトルがサブボトル、第一磁気ユニット及び第二磁気ユニットをカバーすることができ、その中、インナーボトルが連結ボトルを貫通し、サブボトルの中に位置することができることを特徴とする磁気水処理多機能容器装置。
【００１０】
前記磁気水処理多機能容器装置には更に座部蓋と表示リングが含まれ、座部蓋が基台の底部に被り、表示リングが回転できる状態で基台に設置し、そして、連結ボトルと座部蓋の間に位置し、その中、連結ボトルの表面で表示リングと近隣するところに日付目盛りが形成され、また、表示リングの表面に曜日目盛りが形成されることを特徴とする請求項１に記載の磁気水処理多機能容器装置。
【００１１】
前記磁気水処理多機能容器装置にはメインボトルの頂部にねじ込み外せるキャップが含まれることを特徴とする請求項１に記載の磁気水処理多機能容器装置。
【００１２】
ある実施例の中、連結溝は階層構造であり、少なくても第一階層溝部と第二階層溝部が設けられており、また、第一階層溝部の半径が第二階層溝部の半径より大きく、且つ第一階層溝部が第二階層溝部の上方に位置し、そして、第一階層溝部と第二階層溝部には異なるサイズのインナーボトルと入れ込み固定できる。
【００１３】
ある実施例の中、サブボトルはステンレス、食品用プラスチック、耐熱割れ防止ガラス或いはナノ精密陶磁で作られるもの。
【００１４】
ある実施例の中、キャップスはステンレス、食品用プラスチック或いはナノ精密陶磁で作られるもの。
【００１５】
ある実施例の中、キャップスの外周縁での角度の間隔が複数の軸方向溝を形成され、且つ近隣する二つの軸方向溝の間に突出部が形成される。
【００１６】
ある実施例の中、各突出部にそれぞれ二つの第三磁気ユニットが設置される。
【００１７】
ある実施例の中、固定ユニットにはボルト、ガスケット、ナットを含まれ、ボルトが凸肩部の中にある第二磁気ユニットの上から下に第二磁気ユニットを貫通し、そして、頂部当接リング及び第一磁気ユニットとガスケットが第一磁気ユニットの下からボルトに被り、また、第二磁気ユニット、頂部当接リング、第一磁気ユニット及びガスケットを固定するため、ナットがガスケットの下に位置し、ボルトときつく引き締めることを特徴とする請求項１に記載の磁気水処理多機能容器装置。
【００１８】
この考案は前記目的およびメリットは以下選ばれる実施例の詳細説明と図面で理解することができる。
【００１９】
この考案は別の新案での差異を認められるが、選ばれた実施例については、本説明書で詳しく説明し、図面でその構造を表示するのである。
【図面の簡単な説明】
【００２０】
【図１】本考案の磁気水処理多機能容器装置の第一実施例の外観イメージ図
【図２】本考案の磁気水処理多機能容器装置の第一実施例の透視図
【図３】本考案の磁気水処理多機能容器装置の第一実施例の部分分解図
【図４】本考案の磁気水処理多機能容器装置の第一実施例の分解図
【図５】本考案の磁気水処理多機能容器装置の第一実施例にサブボトルの分解図
【図６】本考案の磁気水処理多機能容器装置の第一実施例により小さい半径を使用したインナーボトルの断面図
【図７】本考案の磁気水処理多機能容器装置の第一実施例により大きい半径を使用したインナーボトルの断面図
【図８】本考案の磁気水処理多機能容器装置の第二実施例にサブボトルの分解図
【図９】本考案の磁気水処理多機能容器装置の第二実施例により小さい半径を使用したインナーボトルの断面図
【図１０】本考案の磁気水処理多機能容器装置の第二実施例のキャップスの断面図
【考案を実施するための形態】
【００２１】
実施形態と配合図面は以下で詳しく説明するのであり、本考案を前記目的を達成するための技術手段を説明するために用いられる内容である。
【００２２】
まず、図１から図１０に参照する。本考案の磁気水処理多機能容器装置１００には基台１、連結ボトル２、サブボトル３、第一磁気ユニット４、第二磁気ユニット５及びメインボトル６を含まれるのである。
【００２３】
基台１の内部にインナーボトル２００が取り外せるように連結固定設置する連結溝１１を形成され、インナーボトル２００にはくすりビン或いはビタミン、インスタントコーヒー、お茶パック及び栄養補充液（酵素およびハチミツなど）を入れられるものであり、且つインナーボトル２００が連結ボトル２を貫通してサブボトル３の中に位置することが出来る。その中、連結溝１１は階層構造であり、即ち連結溝１１には少なくても第一階層溝部１１１と第二階層溝部１１２が設けられており、また、第一階層溝部１１１の半径が第二階層溝部１１２の半径より大きく、且つ第一階層溝部１１１が第二階層溝部１１２の上方に位置し、そして、第一階層溝部１１１と第二階層溝部１１２には異なるサイズのインナーボトル２００と入れ込み固定でき、例えば図６に示すように、より小さいサイズのインナーボトル２００がより小さい半径の第二階層溝部１１２に入れ込み固定し、また、図７に示すように、より大きいサイズのインナーボトル２０１がより大きい半径の第一階層溝部１１１に入れ込み固定する。
【００２４】
また、第一階層溝部１１１および第二階層溝部１１２には相対応サイズのインナーボトル２０１および２００に入れ込み固定するため、それぞれ第一階層パッキンリング１１３および第二階層パッキンリング１１４を設置される。
【００２５】
連結ボトル２の内部にインナーリム２１が形成され、且つ連結ボトル２が基台１の上に位置し、基台１とねじ込み外せるようになり、そして、インナーリム２１と基台１の連結溝１１の間に緊迫作用として用いられるパッキンリング２３が設置される。
【００２６】
また、前記磁気水処理多機能容器装置１００には座部蓋１２および表示リングＷが含まれ、座部蓋１２が基台１の底部に設置し、表示リングＷが回転できるように基台１に被り、そして、連結ボトル２と座部蓋１２の間に位置し、その中、連結ボトル２の表面に表示リングＷと近隣するところに日付目盛り２２が形成され、表示リングＷの表面に曜日目盛りＷ１が形成される。
【００２７】
サブボトル３の底部に凸型リング３１が形成され、凸型リング３１の底部が連結ボトル２の内側にあるインナーリム２１と接触し、且つ凸型リング３１の上に止めリング３２が設けられ、止めリング３２が凸型リング３１と底円部６１の間に挟み設置する。サブボトル３の一部が連結ボトル２の上方部分に露出し、その表面が上向きで凸肩部３３が形成され、凸肩部３３の内向きに頂部当接リング３４が形成される。
【００２８】
第一磁気ユニット４がサブボトル３に設置し、且つ凸肩部３３の頂部当接リング３４に近隣し、頂部当接リング３４の下方に位置する。
【００２９】
第二磁気ユニット５がサブボトル３の凸肩部３３に設置し、頂部当接リング３４の上方に位置し、第二磁気ユニット５、頂部当接リング３４および第一磁気ユニット４は固定ユニットＦによって貫通し固定させる。
【００３０】
固定ユニットＦにはボルトＦ１、ガスケットＦ２、ナットＦ３を含まれ、ボルトＦ１が凸肩部３３の中にある第二磁気ユニット５の上から下に第二磁気ユニット５を貫通し、そして、頂部当接リング３４及び第一磁気ユニット４とガスケットＦ２が第一磁気ユニット４の下からボルトＦ１に被り、また、第二磁気ユニット５、頂部当接リング３４、第一磁気ユニット４及びガスケットＦ２を固定するため、ナットＦ３がガスケットＦ２の下に位置し、ボルトＦ１ときつく引き締める。
【００３１】
連結ボトル２の上に連結ボトル２とねじ込み外せるメインボトル６が設けられ、且つメインボトル６内の液体漏れを防止するため、メインボトル６の底円部６１が止めリング３２の上方と接触する。メインボトル６がサブボトル３、第一磁気ユニット４及び第二磁気ユニット５をカバーすることができる。
【００３２】
その中、インナーボトル２００が連結ボトル２に貫通し、サブボトル３に位置し、サブボトル３の隔離効果によって、メインボトル６内の液体がサブボトル３の下方空間に滲入することが出来ないのである。
【００３３】
キャップス７には食品用プラスチック、ステンレス或いはナノ精密陶磁で作られ、サブボトル３の凸肩部３３に被り固定し、並びに第二磁気ユニット５の上に位置し、且つキャップス７の下縁にＯリング７１が設けられ、漏れ防止用のＯリング７１をキャップス７の下縁とサブボトル３の凸肩部３３に近隣する外周表面の間（図４から図７を参照する）に設置される。また、キャップス７の外周縁での角度の間隔が複数の軸方向溝７２を形成され、且つ近隣する二つの軸方向溝７２の間に突出部７３が形成され、各軸方向溝７２が水流（前記液体は水を例として説明する）を流通させ、水分子の細粒化を更に易くする。更に詳しく説明すると、ビン内の液体（例えば水）の磁気効果を増やすため、更にキャップス７の外縁にある各突出部７３にそれぞれ二つの第三磁気ユニット７４が密封設置され、且つ同一突出部７３の二つの第三磁気ユニット７４がＳ−−Ｓの同極相対設置になり、また、近隣する二つの突出部７３に近隣する二つの第三磁気ユニット７４がＮ−−Ｎの同極相対設置状態（図１０に参照する）になり、軸方向溝７２に通過する液体（例えば水）がＮ−−Ｎの同極磁気に経由することによって斥力を生じ、磁気化するものに対してここで示すのである。
【００３４】
また、前記磁気水処理多機能容器装置１００には更にキャップ９を含まれ、メインボトル６の頂部にねじ込み外せる。
【００３５】
そのため、第一磁気ユニット４のＮ、Ｓ極および第二磁気ユニット５のＮ、Ｓ極の同極で互い対応することによって、斥力磁気を形成させ、本考案の磁気水処理多機能容器装置１００を揺れる或いは振動する時に液体（水を例として説明する）内の水分子が低頻度の磁気感応を獲得されることによって、磁気共振水を生じさせ、更に水分子団を小さくし、安全圧力磁気の切り分け及び頻度震度の後、水の活性化も強くなり、分子の配列が順序よくなり、水分子の酸素含有量、溶解度および浸透力が大幅に上げ、更に人体より吸収しやすくなる。言い換えれば、磁気共振水は生物の体内で素早く各生理作用を行うことができる。
【００３６】
サブボトル３が利用する材質はステンレス、食品用プラスチック、耐熱割れ防止ガラス或いはナノ精密陶磁で作られ、高品質の耐熱割れ防止ガラスを例として、洗いやすく、且つ内容物をはっきりと透視でき、ユーザーの利便性を増やしていくのである。
【００３７】
また、インナーボトル２００がサブボトル３に置くことができ、本考案の磁気水処理多機能容器装置１００と一緒に持ち出すことによって、ユーザーがくすりを飲み忘れる問題を防止することが出来る。
【００３８】
前記止めリング３２およびＯリング７１の材質は食品用プラスチックで作られるものにすることが出来る。
【００３９】
上述した実施例に掲示されたのは、具体的に本考案を説明するために用いられる内容であり、本考案の実用新案登録請求の範囲を制限してはならず、当該数値の変更あるいは同等効果を持つユニットの置き換えも全て、後述の実用新案登録請求の範囲に含まれるものとする。
【００４０】
上述した詳細説明によって、具体的に本考案が前記目的を達すること我でき、実用新案登録を申し込みたいと思っている。
【符号の説明】
【００４１】
１００    磁気水処理多機能容器装置
１        基台
１１      連結溝
１２      座部蓋
２        連結ボトル  
２１      インナーリム
２２      日付目盛り
２３      パッキンリング
３        サブボトル
３１      凸型リング
３２      止めリング
３３      凸肩部
３４      頂部当接リング
４        第一磁気ユニット
５        第二磁気ユニット
６        メインボトル
６１      底円部
７        キャップス
７１      Ｏリング
７２      軸方向溝
７３      突出部
７４      第三磁気ユニット
９        キャップ
２００    インナーボトル
２０１    インナーボトル
Ｆ        固定ユニット
Ｆ１      ボルト
Ｆ２      ガスケット
Ｆ３      ナット
Ｗ        表示リング
Ｗ１      曜日目盛り
【図１】
0003201859.tif 000003
【図２】
0003201859.tif 000004
【図３】
0003201859.tif 000005
【図４】
0003201859.tif 000006
【図５】
0003201859.tif 000007
【図６】
0003201859.tif 000008
【図７】
0003201859.tif 000009
【図８】
0003201859.tif 000010
【図９】
0003201859.tif 000011
【図１０】
0003201859.tif 000012